(57)【要約】【課題】ケーブルを大径化させず、光ファイバに外力が付与されることを抑え、光ファイバの良好な伝送特性を維持しつつ狭いスペース等へ円滑に配線することが可能な光電気複合ケーブルを提供する。【解決手段】  光ファイバ１２と、３本以上の複数本の電線１５とを備える光電気複合ケーブル１１であって、光電気複合ケーブル１１の断面を断面に対して垂直な方向から見た場合、複数本の電線１５は、光ファイバ１２の周囲の円周上に、それぞれが独立した状態で配置される。【選択図】図２
2013218839.tif 000002
【特許請求の範囲】
【請求項１】
光ファイバと、
３本以上の複数本の電源線と、
を備える光電気複合ケーブルであって、
前記光電気複合ケーブルの断面を前記断面に対して垂直な方向から見た場合、前記複数本の電源線は、前記光ファイバの周囲の円周上に、それぞれが独立した状態で配置される光電気複合ケーブル。
【請求項２】
前記光ファイバを内部に収容する保護チューブを有し、
前記光電気複合ケーブルの断面を前記断面に対して垂直な方向から見た場合、前記複数本の電源線は、前記保護チューブの外周上に、一方向に撚られてまたは異なる二つの方向に撚られて配置されている請求項１に記載の光電気複合ケーブル。
【請求項３】
前記光電気複合ケーブルの断面を前記断面に対して垂直な方向から見た場合、前記複数本の電源線は、前記保護チューブの外周上に、それぞれ等間隔で配置されている請求項１又は２に記載の光電気複合ケーブル。
【請求項４】
正の電極と負の電極とを有するコネクタを備え、
前記複数本の電源線は、前記正の電極と前記負の電極の少なくとも一方に接続される請求項１から３のいずれか一項に記載の光電気複合ケーブル。
【請求項５】
前記複数本の電源線のうち、前記正の電極に接続される電線同士が隣り合って配置され、前記負の電極に接続される電線同士が隣り合って配置される請求項４に記載の光電気複合ケーブル。
【請求項６】
前記コネクタは、光信号を電気信号に変換する受光素子か電気信号を光信号に変換する発光素子のいずれか一方を有する請求項４または５に記載の光電気複合ケーブル。
【発明の詳細な説明】
【技術分野】
【０００１】
本発明は、電線及び光ファイバを有する光電気複合ケーブルに関するものである。
【背景技術】
【０００２】
医療機器、ビデオカメラ、パーソナルコンピュータおよびその周辺の電子機器において、機能のさらなる高度化に伴い高速通信が要求されている。このため、電線と光ファイバを組み合わせた光電気複合ケーブルを用いることが行われている。
【０００３】
光電気複合ケーブルとしては、芯材の外周に間隔的に光ファイバが複数本配置され、その外側に芯材と光ファイバとを被覆する区画シートが設けられ、この区画シートの外側で光ファイバの間隔に相当する位置に、カッド撚りした電線が配置され、これらの外側に外被が設けられたものが知られている（例えば、特許文献１参照）。
【先行技術文献】
【特許文献】
【０００４】
【特許文献１】実開昭６０−１０９２１６号公報
【発明の概要】
【発明が解決しようとする課題】
【０００５】
ところで、光ファイバの外周に配置する電線が、ツイスト線であったりカッド撚りした撚り線であると、ケーブルの大径化を招き、狭いスペース等へ円滑に配線することが困難となる。また、撚り線などの電線が周方向に偏って配置されると、ケーブルが曲げられた際に電線がある部分で突っ張ってケーブルが蛇行するおそれがある。この場合、光ファイバが伝搬する信号の伝送損失が大きくなる。
【０００６】
本発明の目的は、ケーブルを大径化させず、光ファイバに外力が付与されることを抑え、光ファイバの良好な伝送特性を維持しつつ狭いスペース等へ円滑に配線することが可能な光電気複合ケーブルを提供することにある。
【課題を解決するための手段】
【０００７】
上記の目的を達成するために、本発明の光電気複合ケーブルは、光ファイバと、光ファイバと、３本以上の複数本の電源線と、を備える光電気複合ケーブルであって、前記光電気複合ケーブルの断面を前記断面に対して垂直な方向から見た場合、前記複数本の電源線は、前記光ファイバの周囲の円周上に、それぞれが独立した状態で配置されるものである。
【０００８】
また、本発明の光電気複合ケーブルは、前記光ファイバを内部に収容する保護チューブを有し、前記光電気複合ケーブルの断面を前記断面に対して垂直な方向から見た場合、前記複数本の電源線は、前記保護チューブの外周上に、一方向に撚られてまたは異なる二つの方向に撚られて配置されているのが好ましい。
【０００９】
また、本発明の光電気複合ケーブルは、前記光電気複合ケーブルの断面を前記断面に対して垂直な方向から見た場合、前記複数本の電源線は、前記保護チューブの外周上に、それぞれ等間隔で配置されているのが好ましい。
【００１０】
また、本発明の光電気複合ケーブルは、正の電極と負の電極とを有するコネクタを備え、前記複数本の電源線は、前記正の電極と前記負の電極の少なくとも一方に接続されるのが好ましい。
【００１１】
また、本発明の光電気複合ケーブルは、前記複数本の電源線のうち、前記正の電極に接続される電線同士が隣り合って配置され、前記負の電極に接続される電線同士が隣り合って配置されるのが好ましい。
【００１２】
また、本発明の光電気複合ケーブルは、前記コネクタは、光信号を電気信号に変換する受光素子か電気信号を光信号に変換する発光素子のいずれか一方を有するのが好ましい。なお、一方向通信に使用されるケーブルでは、コネクタがケーブルの両末端にあって、一方のコネクタには光信号を電気信号に変換する受光素子があり、他方のコネクタには電気信号を光信号に変換する発光素子がある。双方向通信に使用されるケーブルでは、両末端のコネクタともに光信号を電気信号に変換する受光素子と電気信号を光信号に変換する発光素子がある。
【発明の効果】
【００１３】
本発明の光電気複合ケーブルによれば、電源線が少なくとも３本以上に分けられ、各電源線は細径化される。各電源線は、光ファイバの周囲の円周上に、それぞれが独立した状態で配置されるため、電源線をツイスト線やカッド撚りの撚り線の状態で光ファイバの周囲に収容する場合と比較して、ケーブル外径を小さくすることができる。これにより、ケーブルを大径化させず、光ファイバに外力が付与されることを抑え、光ファイバの良好な伝送特性を維持しつつ狭いスペース等へ円滑に配線することができる。
【図面の簡単な説明】
【００１４】
【図１】本発明に係る光電気複合ケーブルの使用例を説明するための概念図である。
【図２】本発明に係る光電気複合ケーブルの断面図である。
【図３】実施例の光電気複合ケーブルの断面図である。
【図４】実施例の変形例の断面図である。
【図５】比較例の光電気複合ケーブルの断面図である。
【発明を実施するための形態】
【００１５】
以下、本発明に係る光電気複合ケーブルの実施形態の一例を、図面を参照して説明する。
図１は、光電気複合ケーブル１１を使用する一例として、パーソナルコンピュータ１００と給電型ハードディスク２００とを光電気複合ケーブル１１により電気的かつ光的に接続している状態を説明するための概念図である。図１に示すように、光電気複合ケーブル１１は、パーソナルコンピュータ１００のケーブル接続部と接続するＰＣ側コネクタ１００ａ（コネクタの一例）と給電型ハードディスク２００のケーブル接続部と接続するハードディスク側コネクタ２００ａ（コネクタの一例）とを連結している。
【００１６】
ＰＣ側コネクタ１００ａは、光ファイバ心線１２ａを経由して給電型ハードディスク２００から送信されてきた光信号をレンズ１０１を介して受光する受光素子１０２と、パーソナルコンピュータ１００側の光信号をレンズ１０１を介して光ファイバ心線１２ｂに対して送信する発光素子１０３と、５本の電線１５ａと接続されるプラス電極１０４と、５本の電線１５ｂと接続されるマイナス電極１０５と、を有している。また、パーソナルコンピュータ１００は、電源コンセント１０６を有している。
【００１７】
ハードディスク側コネクタ２００ａは、光ファイバ心線１２ｂを経由して送信されてきた光信号をレンズ２０１を介して受光する受光素子２０２と、光ファイバ心線１２ａに対してレンズ２０１を介して光信号を送信する発光素子２０３と、電線１５ａと接続されるプラス電極２０４と、電線１５ｂと接続されるマイナス電極２０５と、を有している。
【００１８】
給電型ハードディスク２００は、光電気複合ケーブル１１の内部に収容される電線１５（以下、電線１５ａ，１５ｂをまとめて電線１５と称する場合もある）を介して、パーソナルコンピュータ１００から電力が供給され、動作する。すなわち、電線１５は電源線である。また、給電型ハードディスク２００は、光ファイバ心線１２（以下、光ファイバ心線１２ａ，１２ｂをまとめて光ファイバ心線１２と称する場合もある）を介して高速通信を行い、パーソナルコンピュータ１００とデータを交換する。
【００１９】
次に、光電気複合ケーブル１１の内部構成について、図２を参照しながら説明する。
図２に示すように、光電気複合ケーブル１１は、最外層である外被２０の内側に、２本の光ファイバ心線（光ファイバの一例）１２と１０本の電線１５とを有する。光ファイバ心線１２は、給電型ハードディスク２００側から見て上り信号用の１本の光ファイバ心線１２ａと、給電型ハードディスク２００側から見て下り信号用の１本の光ファイバ心線１２ｂとを有している。この２本の光ファイバ心線１２は、保護チューブ１３内に収容された状態で、光電気複合ケーブル１１の断面中央に配置されている。
【００２０】
保護チューブ１３内に収容された光ファイバ心線１２は、例えば、コアとクラッドからなるガラスファイバの周囲に紫外線硬化型樹脂からなる被覆層を形成したものであり、コア径が０．０８ｍｍ、ガラスファイバの外径が０．１２５ｍｍとされ、被覆層の外径が０．２５ｍｍとされている。また、さらに被覆層を設けて外径０．９ｍｍの光ファイバ心線１２としたり、光ファイバ心線１２をさらに抗張力繊維及び被覆層で覆った光ファイバコードとしてもよい。
【００２１】
光ファイバ心線１２としては、コアがガラスから形成されクラッドが高硬度プラスチックから形成されて折れ曲がり（キンク）に強く破断しにくいハードプラスチッククラッドファイバ（Ｈ−ＰＣＦ）や、コア及びクラッドがプラスチックからなるプラスチックファイバであってもよい。光ファイバ心線１２はマルチモードファイバでもシングルモードファイバでもよい。マルチモードファイバは特にＧＩ（グレーデッドインデックス）コア型が望ましい。ガラスファイバである場合はＧＩコアの周囲に屈折率が小さくなるＷ型構造（トレンチ構造）があると更に望ましい。
【００２２】
光電気複合ケーブル１１が、例えば、医療用のセンサコードであるＣＣＤコードのようにあまり小さな径に曲げることなく用いられる場合は、光ファイバ心線１２としてガラスファイバが使用可能であり、ＵＳＢ（Universal Serial Bus）ケーブルやＨＤＭＩ（High-Definition Multimedia Interface）ケーブルのように小さな径に曲げられることがある場合は、ハードプラスチッククラッドファイバを用いるのが好ましい。
【００２３】
保護チューブ１３の内側には、２本の光ファイバ心線１２が収容されている。この保護チューブ１３の内側には、光ファイバ心線１２だけを収容しても良いが、光ファイバ心線１２とともに抗張力繊維や介在を収容して強度を高めても良い。保護チューブ１３の内部には、３本以上の光ファイバ心線１２を収容する場合もあり、また、１本の光ファイバ心線１２を収容する場合もある。本実施形態では、複数本の光ファイバ心線１２を保護チューブ１３に収容する場合、光ファイバ心線１２を撚ることなく縦添えした構成を例示しているが、光ファイバ心線１２を一方向撚りまたはＳＺ撚りして保護チューブ１３に収容してもよい。
【００２４】
保護チューブ１３としては、外力から光ファイバ心線１２を保護しつつ電線１５等からの側圧を良好に吸収する緩衝材としての機能を有することが好ましい。このため、この保護チューブ１３は、例えば、弾性率が５０〜１０００ＭＰａの樹脂から形成され、厚さが０．２ｍｍ以上とされている。この構成により、光ファイバ心線１２への側圧を保護チューブ１３により保護して小さく抑えることができる。
【００２５】
このような保護チューブ１３の材料としては、ポリ塩化ビニル（ＰＶＣ)やテトラフルオロエチレン−エチレン共重合体（ＥＴＦＥ）樹脂を用いるのが好ましく、ポリブチレンテレフタレート（ＰＢＴ）樹脂を使用してもよい。
この保護チューブ１３は、配列させた光ファイバ心線１２の周囲に樹脂を押出被覆することによって、光ファイバ心線１２を覆うように形成される。
【００２６】
外被２０の内側であって保護チューブ１３の外側は、収容部１４とされており、この収容部１４には１０本の電線１５が配置されている。
図２に示されるように、光電気複合ケーブル１１の断面を断面に対して垂直な方向から見た場合、１０本の電線１５は光ファイバ心線１２の周囲の円周上に等間隔で配置されている。また、１０本の電線１５は、それぞれが独立した状態で保護チューブ１３の外周上に層撚り状態で配置されている。
【００２７】
また、図２に示されるように、光電気複合ケーブル１１の断面を断面に対して垂直な方向から見た場合、１０本の電線１５のうち、５本の電線１５ａはそれぞれ等間隔で隣り合って配置されている。また、１０本の電線１５のうち、５本の電線１５ｂはそれぞれ等間隔で隣り合って配置されている。このように、電線１５を等間隔に配置することで、光電気複合ケーブル１１が曲げられたときであっても、各電線の突っ張り具合が分散される。すなわち、光電気複合ケーブル１１が曲げられたときにその外周の一部が偏って突っ張る構成ではないため、光ファイバ心線１２を収容した保護チューブ１３が蛇行しない。したがって光ファイバ心線１２が蛇行せず、曲げの影響による伝送損失が抑制される。
【００２８】
図１に示すように、５本の電線１５ａの各一端は、ＰＣ側コネクタ１００ａに搭載されるプラス電極１０４に接続され、５本の電線１５ａの各他端は、ハードディスク側コネクタ２００ａに搭載されるプラス電極２０４に接続されている。また、５本の電線１５ｂの各一端は、ＰＣ側コネクタ１００ａに搭載されるマイナス電極１０５に接続され、５本の電線１５ｂの各他端は、ハードディスク側コネクタ２００ａに搭載されるマイナス電極２０５に接続されている。
【００２９】
電線１５ａ，１５ｂとしては、何れも錫メッキが施された軟銅線または銅合金線からなる素線を複数本撚り合わせた導体を外被によって覆った絶縁ケーブルを用いることができ、例えば、ＡＷＧ（American Wire Gauge）の規格によるＡＷＧ２０〜４６程度のケーブルを用いるのが好ましい。絶縁ケーブルの外被の材料としては、耐熱性、耐薬品性、非粘着性、自己潤滑性などに優れたテトラフルオロエチレン−パーフルオロアルキルビニルエーテル共重合体（ＰＦＡ）樹脂等のフッ素樹脂を用いるのが好ましい。また、絶縁ケーブルの外被としては、ポリエチレン（ＰＥ）樹脂やポリ塩化ビニル（ＰＶＣ）樹脂を用いても良い。
【００３０】
また、収容部１４の周囲には、押さえ巻き１８、シールド層１９及び外被２０が順に設けられている。
【００３１】
押さえ巻き１８としては、例えば、耐熱性、耐摩耗性などに優れたポリエチレンテレフタレート（ＰＥＴ）樹脂から形成された樹脂テープが用いられる。なお、この押さえ巻き１８としては、紙テープやポリテトラフルオロエチレン（ＰＴＦＥ）樹脂の樹脂テープを用いても良い。
【００３２】
シールド層１９は、例えば、外径数十μｍ（例えば、外径０．０３ｍｍまたは０．０４ｍｍ程度）の錫メッキされた銅線または銅合金線を編組したもので、約０．１ｍｍの厚さに形成されている。なお、シールド層１９としては、銅線または銅合金線を横巻きしても良く、また、ポリエチレンテレフタレート（ＰＥＴ）樹脂から形成された樹脂テープに銅箔やアルミニウム箔が形成された金属樹脂テープを巻いても良い。
【００３３】
外被２０は、例えば、ポリ塩化ビニル（ＰＶＣ）やポリオレフィン系樹脂等から形成されている。非ハロゲンのポリオレフィン系樹脂としては、エチレン−酢酸ビニル共重合体（ＥＶＡ）、ポリエチレン（ＰＥ）、スチレンエチレンブチレンスチレンブロック共重合体（ＳＥＢＳ）などのエラストマの混合物がある。また、ポリエチレン（ＰＥ）に、耐候剤、酸化防止剤、老化防止剤を添加したものでも良い。なお、このポリエチレン（ＰＥ）を用いた外被２０としては、難燃剤を含まない非難燃性のものでも良い。
【００３４】
このように構成された光電気複合ケーブル１１によれば、５本のプラス電極用の電線１５ａと５本のマイナス電極用の電線１５ｂとが光ファイバ心線１２の周囲の円周上に等間隔で配置されている。また、１０本の電線１５は、それぞれが独立した状態で保護チューブ１３の外周上に層撚り状態で配置されている。
【００３５】
光電気複合ケーブル１１の内部に収容される電線１５の導体の断面積は、光電気複合ケーブル１１に供給される電力量に応じて決定される。例えば、要求される電力量に対応する断面積を１本のプラス電極用の電線と１本のマイナス電極用の電線とで確保しようとすると、１本の電線の断面積が大きくなり、１本の電線の外径も大きくなってしまう。１本の電線の外径が大きくなってしまうと、光電気複合ケーブルの外径も大きくなってしまう。そこで、本実施形態の光複合ケーブル１１では、要求される電力量に対応する断面積を１０本の電線１５で確保している。つまり、上述のように、プラス電極と接続する電線１５ａを５本で構成し、マイナス電極と接続する電線１５ｂを５本で構成している。
【００３６】
プラス電極用の電線１５ａを５本で構成する（１本を５本に分けて細径化する）ことで、１本当たりの断面積は小さくなり、電線１５ａの外径も小さくなる。同様に、マイナス電極用の電線１５ｂを５本で構成する（１本を５本に分けて細径化する）ことで、１本当たりの断面積は小さくなり、電線１５ｂの外径も小さくなる。従って、光電気複合ケーブル１１の外径も小さくなる。
【００３７】
なお、本実施形態では、プラス電極用の電線を５本に分けて細径化し、マイナス電極用の電線を５本に分けて細径化する例を説明しているが、この例に限られない。要求される電力量と保護チューブ１３の外周長に応じて本数を決定して複数本に分けて細径化して、光ファイバ心線１２の周囲の円周上に配置すれば、プラス電極用の電線とマイナス電極用の電線を各々１本で構成する場合と比べて、光電気複合ケーブル１１の外径を小さくすることができる。
【００３８】
また、本実施形態の光電気複合ケーブル１１の構成によれば、ＳＴＰ（shielded twist pair cable）やＵＴＰ（unshielded twist pair cable）などのツイスト線やカッド撚りの撚り線を光ファイバ心線１２の周囲の円周上に収容する場合と比較して、収容箇所の厚さを薄くして小径化を図ることができる。これにより、ケーブルを大径化させず、光ファイバ心線１２に外力が付与されることを抑え、光ファイバ心線１２の良好な伝送特性を維持しつつ狭いスペース等へ円滑に配線することができる。また、プラス電極１０４に対して５本の電線１５ａが接続されているため、５本のうち１本が破断したとしても、残りの４本で給電を行うことができる。
【００３９】
また、１０本の電線１５を略等間隔となるようにバランス良く配置して収容した構造であるので、収容部１４に不要な介在を設けることによる大径化を招くことなく、ケーブル外周面における凹凸を極力抑え、ケーブルが曲げられた際の光ファイバ心線１２への局所的な側圧の付与を防止することができる。
【００４０】
また、この光電気複合ケーブル１１では、電線１５ａ同士を隣り合うように配置し、また、電線１５ｂ同士を隣り合うように配置して、バランス良く配置させたので、光電気複合ケーブル１１の端末部分において、電線１５ａ，１５ｂを周方向の一箇所へ束ねる際にも、電線１５ａ，１５ｂの捻れを極力抑えて作業性を向上させることができる。また、電線１５ａ，１５ｂをバランス良く配置させたことにより、外被２０を押出して光電気複合ケーブル１１を製造する際にも、光ファイバ心線１２を収容する保護チューブ１３及び電線１５からなる集合コアの捻れを最小限に抑えることができ、生産性を向上させることができる。
【００４１】
なお、上記の本実施形態の光電気複合ケーブル１１では、複数の電線１５を保護チューブ１３の外周上に等間隔に配置する例を説明したが、複数の電線１５を等間隔に配置する際、電線同士の隙間に介在を搭載しても良い。また、隣り合う電線同士を接触させる、つまり、隣接させても良い。
【００４２】
また、本実施の形態では、１０本の電線１５は、電力供給用の電源線として用いられるものであるが、他の電線（例えば、２本一組）を収容部１４内に含むようにして、それを差動伝送用の信号線としてや他の用途の信号線として用いても良い。
【００４３】
次に、光電気複合ケーブル１１の実施例について説明する。
実施例では、図３に示すように、外径が０．２５ｍｍの４本の光ファイバ心線１２を、内径が１．０ｍｍで外径が２．０ｍｍの保護チューブ１３の内部に収容した。その保護チューブ１３の外周上に、ＡＷＧ（American Wire Gauge）の規格によるＡＷＧ２８の６本の電線１５（プラス電極用の電線１５ａが３本、マイナス電極用の電線１５ｂが３本）を等間隔で、それぞれが独立した状態で保護チューブ１３に対して層撚り状態で配置した。電線１５の外径は０．５ｍｍである。各電線１５の層撚りのピッチは６０ｍｍとした。電線１５の外側にはケブラ２１（抗張力体）を配置した。なお、各電線１５は電源線として使用されるものである。
上述のように構成した結果、内径が３．２ｍｍで外径を４．２ｍｍの外被２０（ＰＶＣチューブ）の内部に上述の光ファイバ心線１２、保護チューブ１３、電線１５、ケブラ２１を収容させることができた。
なお、この実施例では、図３に示すように、ケブラ２１を電線１５の外側に配置したがこの例に限られない。図４に示すように、光電気複合ケーブル１１を長さ方向に垂直な断面で見て、プラス電極用の電線１５ａとマイナス電極用の電線１５ｂの間であって、光電気複合ケーブル１１の中心に対して点対称な位置にケブラ２１を配置しても良い。図４では、ケブラ２１は２つ配置され、各間隔が均等に配置されている。このような構成によれば、曲ったときの光電気複合ケーブル１１の突っ張りを分散させることができる。また、ケブラ２１などの抗張力体を保護チューブ１３内に光ファイバ心線１２と一緒に収容してもよい。
【００４４】
また、比較例を次のように作成した。図５に示すように、外径が０．２５ｍｍの４本の光ファイバ心線１２を、内径が１．０ｍｍで外径が２．０ｍｍの保護チューブ１３の内部に収容した。その保護チューブ１３の外周上に、ＡＷＧ（American Wire Gauge）の規格によるＡＷＧ２４の２本の電線１５（プラス電極用の電線１５ａが１本、マイナス電極用の電線１５ｂが１本）を保護チューブ１３に対して層撚り状態で配置した。電線１５の外径は０．７６ｍｍである。また、プラス電極用の電線１５ａとマイナス電極用の電線１５ｂの間には介在２２（ナイロン糸）を配置した。各電線１５の層撚りのピッチは６０ｍｍとした。電線１５の外側にはケブラ２１を配置した。なお、各電線１５は電源線として使用されるものである。
上述のように比較例を構成した結果、内径が３．８ｍｍで外径を４．８ｍｍの外被２０（ＰＶＣチューブ）の内部に上述の光ファイバ心線１２、保護チューブ１３、電線１５、ケブラ２１を収容させることができた。
【００４５】
上記の実施例のように、電線１５を複数本（６本）に細径化して、保護チューブ１３の外周上に層撚り状態で等間隔に配置することで、比較例と比べて、外被２０の外径、すなわち、光電気複合ケーブル１１の外径を約０．６ｍｍだけ小さくすることができた。比較例の場合、保護チューブ１３の周囲に電線１５および介在２２（ナイロン糸）を層撚りにしたものの径が実施例よりも大きくなり、外被２０の内径を大きくせざるを得ない。その分外被２０の外径が大きくなり、光電気複合ケーブル１１としても太くなってしまった。また、比較例の場合、電線１５が２本しかないため、電線１５のある部分が突っ張って光電気複合ケーブル１１が蛇行してしまう場合があった。光電気複合ケーブル１１が蛇行すると、内部に保持される光ファイバ心線１２の伝送損失増の原因となってしまう。これに対し、実施例の場合、６本の電線１５が保護チューブ１３の周囲に等間隔で配置されているので、突っ張りによる光電気複合ケーブル１１の蛇行を防ぐことでき、伝送損失への影響を防ぐことができた。
【符号の説明】
【００４６】
１１：光電気複合ケーブル、１２（１２ａ，１２ｂ）：光ファイバ心線（光ファイバの一例）、１３：保護チューブ、１５（１５ａ，１５ｂ）：電線、１０４，２０４：正の電極、１０５，２０５：負の電極、１００ａ：ＰＣ側コネクタ（コネクタの一例）、２００ａ：ハードディスク側コネクタ（コネクタの一例）、１０２，２０２：受光素子、１０３，２０３：発光素子
【図１】
2013218839.tif 000003
【図２】
2013218839.tif 000004
【図３】
2013218839.tif 000005
【図４】
2013218839.tif 000006
【図５】
2013218839.tif 000007